(57)【要約】【課題】熱交換器に導かれる空気量を増加すること。【解決手段】空気調和室内機１０は、筐体１１と、吸気部１２と、熱交換器１４と、吹出口１６とを備える。筐体１１は、所定面に取り付けられる。吸気部１２は、筐体１１のうち少なくとも所定面と対向する部分に所定面から間隔をおいて設けられる。吸気部１２は、例えば、背面吸気部１２ａと、上面吸気部１２ｂと、側面吸気部１２ｃとを含む。熱交換器１４は、筐体１１の内部に設けられて吸気部１２から導かれた空気と熱交換する。吹出口１６は、熱交換器１４と熱交換した空気を吐出するための開口である。【選択図】図１
2011174666.tif 000002
【特許請求の範囲】
【請求項１】
所定面に取り付けられる筐体と、
前記筐体のうち少なくとも前記所定面と対向する部分に前記所定面から間隔をおいて設けられる吸気部と、
前記筐体の内部に設けられて前記吸気部から導かれた空気と熱交換する熱交換器と、
前記熱交換器と熱交換した空気を吐出するための吹出口と、
を備えることを特徴とする空気調和室内機。
【請求項２】
前記吸気部は、
前記筐体のうち前記所定面と対向する背面に設けられる第１吸気部と、
前記背面と隣接する面に設けられ、かつ、前記第１吸気部と連続した開口を構成する第２吸気部と、
を含むことを特徴とする請求項１に記載の空気調和室内機。
【請求項３】
前記吸気部から前記筐体内に空気を吸い込み、前記熱交換器と熱交換した空気を前記吹出口から吐出させる送風機を有し、
前記熱交換器は、前記送風機を囲うように設けられ、
前記吸気部は、前記熱交換器と前記所定面との間に少なくとも一部が設けられることを特徴とする請求項１または請求項２に記載の空気調和室内機。
【発明の詳細な説明】
【技術分野】
【０００１】
本発明は、室内に設けられる空気調和室内機に関するものである。
【背景技術】
【０００２】
空気調和室内機は、消費エネルギーの低減が求められる。空気調和室内機は、例えば、筐体内に設けられる熱交換器により多くの空気を導くことで、消費エネルギーの低減が図られる。例えば、特許文献１には、室内機本体側面にスリットが設けられることで、スリットを介して熱交換器に空気を導く装置が開示されている。
【先行技術文献】
【特許文献】
【０００３】
【特許文献１】特開２００３−７４９０２号公報
【特許文献２】特開平８−３１３０４９号公報
【発明の概要】
【発明が解決しようとする課題】
【０００４】
特許文献２には、消費エネルギーの低減をより好適に図るために、筐体内のうち背面側（壁と対向する面側）に背面側熱交換器が追加された空気調和機が開示されている。このような空気調和機では、背面側熱交換器に導かれる空気の流量が、他の熱交換器に導かれる流量よりも低下しやすい。例えば、特許文献１に記載の技術のように、室内機本体側面にスリットが形成されたとしても、一般的に背面側熱交換器と背面とのスペースは僅かであるため、背面側熱交換器に導かれる空気量が不十分となる場合がある。
【０００５】
本発明は、上記に鑑みてなされたものであって、熱交換器に導かれる空気量の増加を目的とする。
【課題を解決するための手段】
【０００６】
上述した課題を解決し、目的を達成するために、本発明に係る空気調和室内機は、所定面に取り付けられる筐体と、前記筐体のうち少なくとも前記所定面と対向する部分に前記所定面から間隔をおいて設けられる吸気部と、前記筐体の内部に設けられて前記吸気部から導かれた空気と熱交換する熱交換器と、前記熱交換器と熱交換した空気を吐出するための吹出口と、を備えることを特徴とする。
【０００７】
本発明に係る空気調和室内機は、筐体のうち少なくとも所定面と対向する部分に吸気部が設けられる。この所定面と対向する吸気部を以下、背面吸気部という。よって、本発明に係る空気調和室内機は、背面吸気部から筐体内に空気を導ける。これにより、熱交換器のうち背面側に配置される熱交換器（以下、背面側熱交換器という）は、導かれる空気量が増加する。すなわち、本発明に係る空気調和室内機は、背面側熱交換器と熱交換する空気量が増加する。結果として、本発明に係る空気調和室内機は、暖房または冷房の能力を向上できる。
【０００８】
また、本発明に係る空気調和室内機は、暖房または冷房の能力を向上できるため、室温を任意の温度に調節する場合に、空気調和設備全体での負荷を低減できる。また、本発明に係る空気調和室内機は、背面吸気部が設けられた分、吸気部の面積を増加できる。よって、本発明に係る空気調和室内機は、より多くの空気を熱交換器に導くことができ、熱交換器全体と熱交換する空気量を増加できる。結果として、本発明に係る空気調和室内機は、暖房または冷房の能力をさらに向上できる。また、本発明に係る空気調和室内機は、背面吸気部が大きく設けられることにより、背面側熱交換器の配置の自由度が向上する。
【０００９】
本発明の好ましい態様としては、前記吸気部は、前記筐体のうち前記所定面と対向する背面に設けられる第１吸気部と、前記背面と隣接する面に設けられ、かつ、前記第１吸気部と連続した開口を構成する第２吸気部と、を含むことが望ましい。
【００１０】
上記構成により、本発明に係る空気調和室内機は、吸気部全体の面積をより大きく確保できる。よって、本発明に係る空気調和室内機は、熱交換器に導かれる空気量をより増加できる。
【００１１】
本発明の好ましい態様としては、前記吸気部から前記筐体内に空気を吸い込み、前記熱交換器と熱交換した空気を前記吹出口から吐出させる送風機を有し、前記熱交換器は、前記送風機を囲うように設けられ、前記吸気部は、前記熱交換器と前記所定面との間に少なくとも一部が設けられることが望ましい。
【００１２】
本発明に係る空気調和室内機は、背面吸気部が設けられた分、吸気部の面積を増加できる。よって、背面側熱交換器は、導かれる空気量が増加する。すなわち、本発明に係る空気調和室内機は、背面側熱交換器と熱交換する空気量が増加する。結果として、本発明に係る空気調和室内機は、送風機の動力が同じであっても、従来よりも、暖房または冷房の能力を向上できる。また、本発明に係る空気調和室内機は、暖房または冷房の能力を向上できるため、室温を任意の温度に調節する場合に、送風機の動力も低減できる。これにより、本発明に係る空気調和室内機は、空気調和設備全体での負荷をより好適に低減できる。
【発明の効果】
【００１３】
本発明は、熱交換器に導かれる空気量を増加できる。
【図面の簡単な説明】
【００１４】
【図１】図１は、実施形態１の空気調和室内機を模式的に示す斜視図である。
【図２】図２は、実施形態１の空気調和室内機を模式的に示す断面図である。
【図３】図３は、背面が傾斜した空気調和室内機を模式的に示す断面図である。
【図４】図４は、実施形態２の空気調和室内機を模式的に示す斜視図である。
【図５】図５は、実施形態３の空気調和室内機を模式的に示す斜視図である。
【発明を実施するための形態】
【００１５】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。
【００１６】
（実施形態１）
図１は、実施形態１の空気調和室内機を模式的に示す斜視図である。図２は、実施形態１の空気調和室内機を模式的に示す断面図である。本実施形態の空気調和設備は、図２に示す所定面Ｗに取り付けられる空気調和室内機１０を備える。所定面Ｗは、例えば、室内の壁である。空気調和室内機１０は、図２に示すように、筐体１１と、吸気部１２と、送風機１３と、熱交換器１４と、エアフィルタ１５と、吹出口１６と、ルーバ１７ａ及びフラップ１７ｂと、正面側ドレンパン１８ａ及び背面側ドレンパン１８ｂと、取付用係合部１９とを備える。
【００１７】
筐体１１は、例えば、図１に示すように、背面１１ａと、２つの側面１１ｂと、上面１１ｃと、下面１１ｄと、正面１１ｅとを含む。背面１１ａは、所定面Ｗと対向する面である。２つの側面１１ｂと、上面１１ｃと、下面１１ｄとは、それぞれ、背面１１ａと隣接する面である。上面１１ｃは、空気調和室内機１０が所定面Ｗである壁に設置された際に鉛直方向上側に配置される面である。下面１１ｄは、空気調和室内機１０が所定面Ｗである壁に設置された際に鉛直方向下側に配置される面である。側面１１ｂは、背面１１ａと隣接する４面のうち、上面１１ｃ及び下面１１ｄ以外の２面である。正面１１ｅは、背面１１ａと対向する面である。
【００１８】
吸気部１２は、本実施形態では、背面吸気部１２ａと、上面吸気部１２ｂと、図１に示す側面吸気部１２ｃとを含む。背面吸気部１２ａは、筐体１１のうち所定面Ｗと対向する部分に設けられる。ここで、従来の背面を図２に点線で示す。本実施形態の背面１１ａは、従来の背面の一部（上面１１ｃ側）が切り欠いた形状に形成される。背面吸気部１２ａは、この切欠部分の開口である。上面吸気部１２ｂは、上面１１ｃに形成される。上面吸気部１２ｂは、例えば、筐体１１の内部と外部とを連通するスリットである。上面吸気部１２ｂは、例えば、複数のスリットで構成される。なお、上面吸気部１２ｂはスリットに限定されず、１つの大きな開口である。側面吸気部１２ｃは、側面１１ｂに形成される。なお、側面１１ｂは、後述する熱交換器１４よりも空気の流れの上流側に位置する部分と、熱交換器１４よりも空気の流れの下流側に位置する部分とがある。側面吸気部１２ｃは、側面１１ｂのうち、熱交換器１４よりも空気の流れの上流側に位置する部分に設けられる。側面吸気部１２ｃは、例えば、筐体１１の内部と外部とを連通するスリットである。側面吸気部１２ｃは、例えば、複数のスリットで構成される。
【００１９】
送風機１３は、筐体１１の内部の略中央に設けられる。送風機１３は、電動機と、ファンとを含む。電動機は、回転軸を回転させる。ファンは、前記回転軸の側周部に設けられる。送風機１３は、電動機が回転軸を回転させることで、吸気部１２から空気を吸い込み、後述する吹出口１６から空気を吐き出す。
【００２０】
熱交換器１４は、吸気部１２から導かれた空気と熱交換する。熱交換器１４は、プレートフィンと、伝熱管とを含む。伝熱管は、プレートフィンを貫通して設けられる。熱交換器１４は、筐体１１の内部に設けられる。また、本実施形態の空気調和室内機１０は、複数の熱交換器１４を備え、複数の熱交換器１４が送風機１３を囲うように設けられる。具体的には、熱交換器１４は、正面側第１熱交換器１４ａと、正面側第２熱交換器１４ｂと、正面側第３熱交換器１４ｃと、背面側熱交換器１４ｄとを含む。正面側第１熱交換器１４ａから正面側第３熱交換器１４ｃの各熱交換器１４は、正面１１ｅ側に配置される。正面側第１熱交換器１４ａは、下面１１ｄ側に配置される。正面側第３熱交換器１４ｃは、上面１１ｃ側に配置される。正面側第２熱交換器１４ｂは、正面側第１熱交換器１４ａと正面側第３熱交換器１４ｃとの間に配置される。背面側熱交換器１４ｄは、背面吸気部１２ａと対向する部分（点線で示す従来の背面と対向する部分）に配置される。なお、設けられる熱交換器の数は、４つに限定されず、４つ以下でも４つ以上でもよい。
【００２１】
エアフィルタ１５は、熱交換器１４よりも空気の流れの上流側に設けられる。すなわち、エアフィルタ１５は、熱交換器１４のうち、送風機１３とは反対側に設けられる。エアフィルタ１５は、基本的には熱交換器１４に沿って設けられる。具体的には、エアフィルタ１５は、正面側第１熱交換器１４ａと正面１１ｅとの間と、正面側第２熱交換器１４ｂと正面１１ｅとの間と、正面側第３熱交換器１４ｃと正面１１ｅ及び上面１１ｃとの間と、背面側熱交換器１４ｄと背面吸気部１２ａとの間とに渡って設けられる。これにより、エアフィルタ１５は、熱交換器１４に導かれる空気に含まれる塵を低減する。
【００２２】
吹出口１６は、筐体１１の内部と外部とを連通する開口である。吹出口１６は、正面１１ｅまたは下面１１ｄに設けられる。または、吹出口１６は、正面１１ｅと下面１１ｄとの間に設けられる。ルーバ１７ａ及びフラップ１７ｂは、吹出口１６に設けられる。ルーバ１７ａ及びフラップ１７ｂは、吹出口１６から吐出される空気の進行方向を調節する。
【００２３】
正面側ドレンパン１８ａ及び背面側ドレンパン１８ｂは、熱交換器１４で凝縮した水を受ける。正面側ドレンパン１８ａは、正面側第１熱交換器１４ａと下面１１ｄとの間に設けられる。背面側ドレンパン１８ｂは、背面側熱交換器１４ｄと下面１１ｄとの間に設けられる。例えば、空気調和室内機１０が、冷房として機能する際、空気中の水分が凝縮して熱交換器１４に水が付着する場合がある。正面側ドレンパン１８ａ及び背面側ドレンパン１８ｂは、これらの水を受ける。
【００２４】
取付用係合部１９は、背面１１ａに形成される。取付用係合部１９は、所定面Ｗである壁に固定される取付金具Ｗａと係合する。取付用係合部１９は、例えば、背面１１ａから所定面Ｗに向かって突出する。なお、取付用係合部１９は、背面１１ａから所定面Ｗに向かって突出しなくてもよい。この場合、取付金具Ｗａが所定面Ｗから背面１１ａ側に向かって突出することで空気調和室内機１０が所定面Ｗに固定される。所定面Ｗに取り付けられた空気調和室内機１０は、所定面Ｗと背面側熱交換器１４ｄとの間に隙間Ｈが確保される。
【００２５】
上記構成の空気調和室内機１０は、送風機１３が動作すると、吸気部１２を介して筐体１１の外部の空気を筐体１１の内部に取り込む。そして、送風機１３は、吸気部１２を介して筐体１１の内部に導かれた空気を熱交換器１４にエアフィルタ１５を介して導く。次に、熱交換器１４は、吸気部１２を介して筐体１１の内部に導かれた空気と熱交換する。次に、送風機１３は、熱交換器１４と熱交換した空気を吹出口１６に導く。これにより、空気調和室内機１０は、熱交換器１４と熱交換した空気を吹出口１６から吐出する。
【００２６】
ここで、従来の空気調和室内機は、所定面Ｗと対向する背面に吸気部がないため、背面側熱交換器１４ｄに導かれる空気量が少なくなる傾向がある。すなわち、従来の空気調和室内機は、背面側熱交換器１４ｄを十分に活用できていないおそれがある。しかしながら、本実施形態の空気調和室内機１０は、筐体１１のうち所定面Ｗと対向する部分に背面吸気部１２ａが設けられる。よって、空気調和室内機１０は、背面吸気部１２ａから筐体１１内に空気を導ける。これにより、背面側熱交換器１４ｄは、導かれる空気量が増加する。すなわち、空気調和室内機１０は、背面側熱交換器１４ｄと熱交換する空気量が増加する。結果として、空気調和室内機１０は、送風機１３の動力が同じであっても、従来よりも、暖房または冷房の能力を向上できる。
【００２７】
また、空気調和室内機１０は、暖房または冷房の能力を向上できるため、室温を任意の温度に調節する場合に、より多くの空気を吸い込むことで、熱交換器１４と空気との熱交換を効率的に行うことができる。また、室温を任意の温度に調節する場合に、送風機１３の動力も低減できる。これにより、空気調和室内機１０は、空気調和設備全体での負荷を低減できる。また、空気調和室内機１０は、背面吸気部１２ａが設けられた分、吸気部１２の面積が増加する。よって、空気調和室内機１０は、送風機１３の動力が同じでも、従来よりも多くの空気を熱交換器１４に導ける。よって、空気調和室内機１０は、熱交換器１４全体と熱交換する空気量が増加する。結果として、空気調和室内機１０は、暖房または冷房の能力をさらに向上できる。また、背面吸気部１２ａが設けられることにより、所定面Ｗとの間の隙間Ｈも増加する。これにより、空気調和室内機１０は、熱交換器１４の設計自由度を向上できる。
【００２８】
ここで、正面１１ｅに吸気部が設けられると、空気調和室内機は、吹出口１６の近傍に吸気部が設けられることになる。すると、空気調和室内機は、吹出口１６から吹き出た空気であって、熱交換器１４と熱交換した直後の空気のうち、吸気部から筐体１１内に再度導かれる空気量が増加する。これにより、空気調和室内機は、熱交換器１４が空気と熱交換する熱量が低下するおそれが考えられる。しかしながら、空気調和室内機１０は、背面吸気部１２ａが設けられることにより、正面１１ｅに吸気部１２が設けられなくても、十分な空気量を熱交換器１４に導ける。よって、空気調和室内機１０は、吸気部が正面１１ｅに設けられる必要がなくなるため、熱交換器１４と熱交換した直後の空気のうち、吸気部１２から筐体１１内に再度導かれる空気量を低減できる。結果として、空気調和室内機１０は、熱交換器１４が空気と熱交換する熱量を増加できる。
【００２９】
図３は、背面が傾斜した空気調和室内機を模式的に示す断面図である。筐体１１の形状によっては、取付用係合部１９や取付金具Ｗａによる隙間Ｈの確保が不十分になる場合も考えられる。この場合、図３に示すように、筐体１１は、背面１１ａに傾斜部１１ｆが設けられると好ましい。傾斜部１１ｆは、例えば、下面１１ｄから上面１１ｃに近づくほど所定面Ｗから離れるように形成される。空気調和室内機１０は、傾斜部１１ｆに背面吸気部１２ａが設けられる。図３に示す空気調和室内機１０は、例えば、複数のスリットによって背面吸気部１２ａが構成される。但し、背面吸気部１２ａは、１つの開口で構成されてもよい。この場合、空気調和室内機１０は、傾斜部１１ｆにより背面吸気部１２ａと所定面Ｗとの間に隙間Ｈを確保できる。これにより、空気調和室内機１０は、筐体１１の外部の空気を隙間Ｈから背面吸気部１２ａを介して筐体１１の内部に導ける。この場合、空気調和室内機１０は、より大きな隙間Ｈを確保できるため、熱交換器１４に導かれる空気量をより好適に増加できる。
【００３０】
（実施形態２）
図４は、実施形態２の空気調和室内機を模式的に示す斜視図である。図４に示す実施形態２の空気調和室内機２０は、背面吸気部１２ａと上面吸気部２２ｂとが互いに連続した開口を構成する点に特徴がある。本実施形態の筐体２１は、実施形態１の上面１１ｃに相当する部分が切り欠いた形状に形成される。空気調和室内機２０は、この切欠部分が上面吸気部２２ｂとして機能する。そして、空気調和室内機２０は、この切欠部分（上面吸気部２２ｂ）が背面吸気部１２ａと連続した開口を構成する。これにより、空気調和室内機２０は、熱交換器１４に沿って設けられるエアフィルタ１５が筐体２１から露出することになる。
【００３１】
空気調和室内機２０は、上面が設けられないことにより、複数のスリットで構成される実施形態１の上面吸気部１２ｂよりも、本実施形態の上面吸気部２２ｂの方が、開口の総面積が増加する。これにより、空気調和室内機２０は、送風機１３の動力が同じであっても、熱交換器１４に導ける空気量や、吹出口１６から吐出できる空気量を増加できる。結果として、空気調和室内機２０は、暖房または冷房の能力をさらに向上できる。また、空気調和室内機２０は、室温を任意の温度に調節する場合に空気調和設備全体での負荷を低減できる。
【００３２】
（実施形態３）
図５は、実施形態３の空気調和室内機を模式的に示す斜視図である。図５に示す実施形態３の空気調和室内機３０は、背面吸気部１２ａと上面吸気部２２ｂと側面吸気部３２ｃとが互いに連続した開口を構成する点に特徴がある。本実施形態の筐体３１は、実施形態２の側面１１ｂに相当する側面３１ｂの一部が切り欠いた形状に形成される。空気調和室内機３０は、この切欠部分が側面吸気部３２ｃとして機能する。側面吸気部３２ｃは、側面３１ｂのうち、熱交換器１４よりも空気の流れの上流側に位置する部分に設けられる。そして、空気調和室内機３０は、この切欠部分（側面吸気部３２ｃ）が背面吸気部１２ａ及び上面吸気部２２ｂと連続した開口を構成する。これにより、空気調和室内機２０は、熱交換器１４に沿って設けられるエアフィルタ１５が筐体３１から露出することになる。
【００３３】
空気調和室内機３０は、複数のスリットで構成される実施形態２の側面吸気部１２ｃよりも、本実施形態の側面吸気部３２ｃの方が、開口の総面積が増加する。これにより、空気調和室内機３０は、送風機１３の動力が同じであっても、熱交換器１４に導ける空気量や、吹出口１６から吐出できる空気量をさらに増加できる。結果として、空気調和室内機３０は、暖房または冷房の能力をさらに向上できる。また、空気調和室内機３０は、室温を任意の温度に調節する場合に空気調和設備全体での負荷をさらに低減できる。
【産業上の利用可能性】
【００３４】
以上のように、本発明に係る空気調和室内機は、熱交換器に導かれる空気量を増加する技術に有用であり、消費エネルギーの低減をより好適に図ることに適している。
【符号の説明】
【００３５】
１０、２０、３０  空気調和室内機
１１、２１、３１  筐体
１１ａ  背面
１１ｂ、３１ｂ  側面
１１ｃ  上面
１１ｄ  下面
１１ｅ  正面
１１ｆ  傾斜部
１２  吸気部
１２ａ  背面吸気部
１２ｂ、２２ｂ  上面吸気部
１２ｃ、３２ｃ  側面吸気部
１３  送風機
１４  熱交換器
１４ａ  正面側第１熱交換器
１４ｂ  正面側第２熱交換器
１４ｃ  正面側第３熱交換器
１４ｄ  背面側熱交換器
１４ｅ  上面側熱交換器
１５  エアフィルタ
１６  吹出口
１７ａ  ルーバ
１７ｂ  フラップ
１８ａ  正面側ドレンパン
１８ｂ  背面側ドレンパン
１９  取付用係合部
Ｈ  隙間
Ｗ  所定面
Ｗａ  取付金具
【図１】
2011174666.tif 000003
【図２】
2011174666.tif 000004
【図３】
2011174666.tif 000005
【図４】
2011174666.tif 000006
【図５】
2011174666.tif 000007